(57)【特許請求の範囲】
【請求項１】
扉１に固着されるハウジング２に操作ハンドル３の全体または主体部分を出没可能に収納し、操作ハンドル３の基端部を施錠主軸４の前端部に枢着し、操作ハンドル３の先端部背面側に錠前格納部を突設し、該錠前格納部に組み込んだ錠前ユニット５のロータ６にハウジング２側の掛止め部７に係脱するロック板８を接続し、ロータ６の鍵孔９に挿入した鍵１０の回転操作によってハウジング２に対する操作ハンドル３の引出し拘束を解除し、ハウジング２から引出し回転させた操作ハンドル３で施錠主軸４を回転駆動することによって、固定枠体１１に対する扉１の錠止を解除するようにした引出し回転操作型扉用ロックハンドル装置において、
ハウジング２の背面側にソレノイド１２を固着し、受金部材１３の上面に連結用突起部３２を形成し、連結用突起部３２に幅広溝部３３と幅狭溝部３４を隣接して形成し、該幅広溝部３３に前記プランジャー１４の先端大径部１４ａを嵌め込み、該幅狭溝部３４にプランジャー１４の小径部１４ｂを嵌め込むことによって受金部材１３をプランジャー１４に連結し、
操作ハンドル３の前記錠前格納部が収納される突出部２７をハウジング２の背面下側に形成し、該突出部２７の上面側壁部に上下に貫通した開口部２８を形成し、該開口部２８に受金部材１３を嵌め込み、受金部材１３の左右側面のガイド突起２９を前記開口部２８の左右両側のガイド溝３０に嵌め込むことによって、受金部材１３をハウジング２の長手方向に摺動可能に装着し、操作ハンドル３の前記錠前格納部に形成した上下方向の案内溝２５にロック板８を挿入し、
ハウジング３の前記突出部２７の内部空間に突出するカム面部１６を受金部材１３の前側縁部に形成し、受金部材１３の後端部下面に前記掛止め部７を形成し、ロック板８と掛止め部７との係合が成立する方向にバネ１５によって受金部材１３を摺動付勢し、ソレノイド１２への通電によって受金部材１３を引戻し摺動させてロック板８と掛止め部７との係合を解除し、
操作ハンドル３がハウジング３に没入するとき、前記ロック板８の先端部の後側縁部で前記カム面部１６を押して受金部材１３をソレノイド１２側に摺動させ、錠前ユニット５の前記ロータ６の回転によってロック板８を下動させてロック板８と掛止め部７の係合を解除して、操作ハンドル３をハウジング２から引き出すようにしたことを特徴とする引出し回転操作型扉用ロックハンドル装置。
【発明の詳細な説明】
【０００１】
【発明の属する技術分野】
本発明は、各種機器類を格納するボックス本体などの固定枠体に対して扉を錠止する引出し回転操作型の扉用ロックハンドル装置に関する。
【０００２】
【従来の技術】
例えば特許第２９６９１１８号公報に記載されたように従来の引出し回転操作型扉用ロックハンドル装置では、扉に固着されるハウジングに操作ハンドルの全体または主体部分を出没可能に収納し、操作ハンドルの基端部を施錠主軸の前端部に枢着し、操作ハンドルに組み込んだ錠前ユニットのロータにハウジング側の掛止め部に係脱するロック板を接続し、前記ロータの鍵孔に挿入した鍵の回転操作によってハウジングに対する操作ハンドルの錠止を解除し、ハウジングから引出し回転させた操作ハンドルで施錠主軸を回転駆動することによって、固定枠体に対する扉の錠止を解除するようになっている。
【０００３】
このような引出し回転操作型扉用ロックハンドル装置では、機器ボックスの管理者が機器ボックスの設置場所に赴いて鍵を錠前ユニットに挿入しなければ、ハウジングに対する操作ハンドルの引出し拘束を解除することができない。
そのため、機器ボックスの正当管理者の駐在場所と機器ボックスの設置場所とが離れている場合には、管理者は機器ボックスへの往復移動に過分の時間を浪費することになる。
【０００４】
【発明が解決しようとする課題】
したがって本発明の目的は、機器ボックスの管理者が遠隔から解錠信号を送ることによって操作ハンドルの引出し拘束を的確に解除することができ、また、機器ボックスの作業担当者が操作ハンドルを押し込み操作することによって操作ハンドルが自動的に引出し不能に再拘束されるようにした引出し回転操作型扉用ロックハンドル装置を提供することである。
【０００５】
【課題を解決するための手段】
本発明の主たる特徴は、扉１に固着されるハウジング２に操作ハンドル３の全体または主体部分を出没可能に収納し、操作ハンドル３の基端部を施錠主軸４の前端部に枢着し、操作ハンドル３の先端部背面側に錠前格納部を突設し、該錠前格納部に組み込んだ錠前ユニット５のロータ６にハウジング２側の掛止め部７に係脱するロック板８を接続し、ロータ６の鍵孔９に挿入した鍵１０の回転操作によってハウジング２に対する操作ハンドル３の引出し拘束を解除し、ハウジング２から引出し回転させた操作ハンドル３で施錠主軸４を回転駆動することによって、固定枠体１１に対する扉１の錠止を解除するようにした引出し回転操作型扉用ロックハンドル装置において、
ハウジング２の背面側にソレノイド１２を固着し、受金部材１３の上面に連結用突起部３２を形成し、連結用突起部３２に幅広溝部３３と幅狭溝部３４を隣接して形成し、該幅広溝部３３に前記プランジャー１４の先端大径部１４ａを嵌め込み、該幅狭溝部３４にプランジャー１４の小径部１４ｂを嵌め込むことによって受金部材１３をプランジャー１４に連結し、
操作ハンドル３の前記錠前格納部が収納される突出部２７をハウジング２の背面下側に形成し、該突出部２７の上面側壁部に上下に貫通した開口部２８を形成し、該開口部２８に受金部材１３を嵌め込み、受金部材１３の左右側面のガイド突起２９を前記開口部２８の左右両側のガイド溝３０に嵌め込むことによって、受金部材１３をハウジング２の長手方向に摺動可能に装着し、操作ハンドル３の前記錠前格納部に形成した上下方向の案内溝２５にロック板８を挿入し、
ハウジング３の前記突出部２７の内部空間に突出するカム面部１６を受金部材１３の前側縁部に形成し、受金部材１３の後端部下面に前記掛止め部７を形成し、ロック板８と掛止め部７との係合が成立する方向にバネ１５によって受金部材１３を摺動付勢し、ソレノイド１２への通電によって受金部材１３を引戻し摺動させてロック板８と掛止め部７との係合を解除し、
操作ハンドル３がハウジング３に没入するとき、前記ロック板８の先端部の後側縁部で前記カム面部１６を押して受金部材１３をソレノイド１２側に摺動させ、錠前ユニット５の前記ロータ６の回転によってロック板８を下動させてロック板８と掛止め部７の係合を解除して、操作ハンドル３をハウジング２から引き出すようにしたことである。
【０００６】
【発明の作用】
図１及び図２に示したように扉１が閉鎖され、施錠主軸４に接続されたロック手段１７によって扉１が機器ボックス本体などの固定枠体１１に対して開扉不能に錠止されているときには、操作ハンドル３はハウジング２内にその主体部分が収納されており、錠前ユニット５のロック板８が受金部材１３の掛止め部７に係合することによって、操作ハンドル３はハウジング２に対して引出し不能に拘束されている。
機器ボックスに格納した機器の操作や点検修理のために作業者を機器ボックスに派遣するとき、機器ボックスの管理者は機器ボックスの設置場所から離隔した駐在場所において、制御パネルのスイッチをオン操作し、ソレノイド１２に解錠信号としての所定電流を供給する。このソレノイド１２の励磁によってプランジャー１４がソレノイド本体側に吸引されるため、受金部材１３が引戻し摺動させられて、掛止め部７とロック板８との係合が解除される。
【０００７】
このとき、錠前ユニット５に対しては何らの操作もなされないから、ロック板８は当初位置に突出したままである。現場に派遣された作業者が操作ハンドル３をハウジング２から引出すとき、ロック板８はハウジング２の内壁部と干渉することなく、ハウジング２の外部空間に移動する。操作ハンドル３の引出し回転の終了後、ソレノイド１２への通電が遮断され、受金部材１３はバネ１５の付勢によって、カム面部１６がハウジング２の前記突出部１７の内部空間に突出した元の位置に復帰する。
【０００８】
ハウジング２より引出し回転させた操作ハンドル３を握って施錠主軸４を回転駆動すると、施錠主軸４に接続してあるロック手段１７が固定枠体１１側の受金部１８から離脱し、固定枠体１１に対する扉１の錠止が解除される。そのため、操作ハンドル３を手前に引くことによって扉１は開放操作される。
【０００９】
作業者が機器の点検修理などの終了後、操作ハンドル３をハウジング２内に押し戻すとき、ロック板８の先端部が受金部材１３の前側縁部のカム面部１６を押すため、受金部材１３はバネ１５の付勢に抗して、ソレノイド１２側に摺動させられ、ロック板８の通過を許容する。ロック板８の先端部が前記掛止め部１２の位置を通過したとき、受金部材１３はバネ１５の付勢によって復帰摺動し、ロック板８の先端部が受金部材１３の掛止め部１２に再係合する。
【００１０】
ソレノイド１２の電気系統の支障によって受金部材１３を引戻し摺動させることができない非常時には、ロータ６の鍵孔９に所定の鍵１０を挿入して錠本体に対するロータ６の回転拘束を解除し、鍵１０によってロータ６を所定角度回す。この回転操作によってロック板８が操作ハンドル３の前記案内溝２５に沿って下方向に移動し、受金部材１３の掛止め部７とロック板８の先端部との係合が解除される。
【００１１】
【発明の実施の形態】
図示した実施例では、施錠主軸４はハウジング２の背面側に形成した軸受筒部１９に前後方向に移動不能に嵌挿され、施錠主軸４の後端角軸部には略Ｌ字状板よりなるロック手段１７が相対回転不能に嵌められ、ボルト２０によって固着されている。操作ハンドル３の基端部の背面側凹部２１には施錠主軸４の前端部が挿入され、扉１の前面と平行な横断枢軸２２によって操作ハンドル３が施錠主軸４に起伏回転可能に連結されている。
操作ハンドル３と施錠主軸４の間には、操作ハンドル３を1点鎖線で示した引出し回転位置、あるいは施錠主軸４を９０度回した解錠位置に保持するために、円盤型バネ座金を含むクリック機構２３が挿入されている。
【００１２】
錠前ユニット５は操作ハンドル３の先端部に埋込み固着されており、ロータ６を錠本体に錠止する内部錠機構としては、公知のディスクタンブラ錠機構が使用されている。ロータ６の後端面には回転中心から偏心した位置にカム突起２４が突設されている。ロック板８は操作ハンドル３に形成された上下方向の案内溝２５に挿入されている。ロック板８には、前記カム突起２４が挿入される横長スロット２６を形成してある。
【００１３】
受金部材１３は厚板状に形成され、ハウジング２の背面下側の突出部２７の側壁部に形成した開口部２８に嵌め込まれている。受金部材１３の左右側面に形成したガイド突起２９は、前記開口部２８の左右両側に形成したガイド溝３０に嵌め込まれている。
受金部材１３の前側縁部は、ハウジング２の底壁部３１より少し突き出ており、ロック板８の先端部の後側縁部によって押されるカム面部１６が形成されている。なお、このカム面部はロック板８側に形成することもできる。
【００１４】
受金部材１３の上面には連結用突起部３２が形成されており、連結用突起部３２の幅広溝部３３には前記プランジャー１４の先端大径部１４ａが嵌め込まれ、幅狭溝部３４にはプランジャー１４の小径部１４ｂが嵌め込まれ、これによって受金部材１３がプランジャー１４に連結されている。受金部材１３の付勢用バネ１５は圧縮コイルバネで構成されており、ソレノイド１２の端面ヨーク板３５と前記連結用突起部３２との間に挿入されている。
受金部材１３の付勢用バネ１５は、ソレノイド１２のプランジャー１４の復帰用バネを兼ねており、ソレノイド１２に通電されていないとき、プランジャー１４にはバネ１５の力が働いているだけであり、プランジャー１４は受金部材１３の動きに連動してフリーに上下動する。
【００１５】
ソレノイド１２の電気系統の支障によって受金部材１３を引戻し摺動させることができない非常時には、ロータ６の鍵孔９に所定の鍵１０を挿入して錠本体に対するロータ６の回転拘束を解除し、鍵１０によってロータ６を所定角度回す。この回転操作によって、カム突起２４と横長スロット２６との協働作用によりロック板８が下方向に移動し、ロック板８の先端部が前記案内溝２５内に引き込まれることによって、受金部材１３の掛止め部７とロック板８の先端部との係合が解除される。
【００１６】
ハウジング２は扉１の取付孔３６に前面側から嵌めこまれ、扉１の背面側から被せられる座金板３７とビス３８によって扉１に締付け固着される。操作ハンドル３の先端部はハウジング２の下端部より多少突き出ており、指掛け部３９となっている。
【００１７】
【発明の効果】
以上のように本発明の引出し回転操作型扉用ロックハンドル装置では、ハウジング２の背面側にソレノイド１２を固着し、受金部材１３をハウジング２の長手方向に摺動可能にハウジング２に装着し、受金部材１３に掛止め部７を形成し、受金部材１３の上面に連結用突起部３２を形成し、連結用突起部３２に幅広溝部３３と幅狭溝部３４を隣接して形成し、該幅広溝部３３に前記プランジャー１４の先端大径部１４ａを嵌め込み、該幅狭溝部３４にプランジャー１４の小径部１４ｂを嵌め込むことによって受金部材１３をプランジャー１４に連結し、解錠信号としての所定電流をソレノイド１２に流すことによって、受金部材１３の掛止め部７とロック板８との係合を的確に解除できるため、機器ボックスの管理者は機器ボックスの設置場所に自ら赴いて錠前ユニット５を解錠操作する必要なしに、遠隔操作によって特定の１個または複数個の機器ボックスを開扉可能状態にセットすることができ、機器ボックスの開扉管理を１箇所で集中して行なうことができる。
【００１７】
また、操作ハンドル３の前記錠前格納部が収納される突出部２７をハウジング２の背面下側に形成し、該突出部２７の上面側壁部に上下に貫通した開口部２８を形成し、受金部材１３の左右側面のガイド突起２９を前記開口部２８の左右両側のガイド溝３０に嵌め込むことによって、受金部材１３をハウジング２の長手方向に摺動可能に装着し、前記突出部２７の内部空間に突出するカム面部１６を受金部材１３の前側縁部に形成し、受金部材１３を前記突出部２７の内部空間に向かってバネ１５によって摺動付勢してあり、操作ハンドル３の引出し操作後、ソレノイド１２への通電を遮断した時には、前記カム面部１６が突出部２７の内部空間に突き出た元の位置に復帰しているため、作業者が操作ハンドルをハウジング２に押し込んだとき、前記カム面部１６がロック板８の先端部後面に押されることによって、ロック板８と受金部材１３が自動的に係合し、操作ハンドル３が引出し不能に再拘束される。このように復帰動作においてはオートロック機構となっているので、鍵のかけ忘れがなく、施錠確認のために管理者が機器ボックスの設置場所に赴く必要がない。
さらにまた、ソレノイド１２の駆動回路において電気的トラブルが発生し、受金部材１３を上方に引戻し摺動させることができない非常時においては、錠前ユニット５に鍵１０を挿入してロック板８を操作ハンドル３の前記案内溝２５に沿って下方に引き戻し操作することによって、ロック板８と受金部材１３との係合を解除でき、機器ボックスの開扉や保守点検に支障を招くことがない。
【図面の簡単な説明】
【図１】本発明の一実施例に係る引出し回転操作型扉用ロックハンドル装置の正面図であり、扉は閉鎖施錠状態にある。
【図２】図１のＡ−Ａ線断面図である。
【図３】図１の引出し回転操作型扉用ロックハンドル装置の主要部分の背面側からの概略的な斜視図である。
【符号の説明】
１  扉
２  ハウジング
３  操作ハンドル
４  施錠主軸
５  錠前ユニット
６  ロータ
７  掛止め部
８  ロック板
９  鍵孔
１０  鍵
１１  固定枠体
１２  ソレノイド
１３  受金部材
１４  プランジャー
１５  バネ
１６  カム面部
【図１】
0003576536.tif 000002
【図２】
0003576536.tif 000003
【図３】
0003576536.tif 000004